(57)【要約】【課題】配線が断線しない状態に配線の取り回し作業を間違えることなく作業者に確実に行なわせることが可能な可動体取付装置を備えた遊技機を提供する。【解決手段】可動体と、当該可動体が移動可能に取付けられる可動体取付装置とを備えた遊技機であって、可動体取付装置は、可動体が取付けられる取付板と、可動体の移動方向に延長するように取付板に形成された貫通孔と、カバーとを備え、カバーは、取付板の一方の板面より立ち上がるように設けられた立ち上がり部と、当該立ち上がり部から延長するように設けられて貫通孔と対向する孔対向部とを備え、貫通孔の延長方向の一端縁と孔対向部の一端縁との間の間隔が、可動体に取付けられた配線の端部に設けられたコネクタを通過させることが可能な間隔に形成され、貫通孔の延長方向の一端縁以外の端縁と孔対向部の一端縁以外の端縁との間の間隔が、コネクタを通過させることが不可能な間隔に形成された。【選択図】図８
2018166972.tif 000002
【特許請求の範囲】
【請求項１】
可動体と、当該可動体が移動可能に取付けられる可動体取付装置とを備えた遊技機であって、
前記可動体取付装置は、前記可動体が取付けられる取付板と、前記可動体の移動方向に延長するように前記取付板に形成された貫通孔と、カバーとを備え、
前記カバーは、前記取付板の一方の板面より立ち上がるように設けられた立ち上がり部と、当該立ち上がり部から延長するように設けられて前記貫通孔と対向する孔対向部とを備え、
前記貫通孔の延長方向の一端縁と前記孔対向部の一端縁との間の間隔が、前記可動体に取付けられた配線の端部に設けられたコネクタを通過させることが可能な間隔に形成され、
前記貫通孔の延長方向の一端縁以外の端縁と前記孔対向部の一端縁以外の端縁との間の間隔が、前記コネクタを通過させることが不可能な間隔に形成されたことを特徴とする遊技機。
【請求項２】
前記貫通孔の延長方向の一端縁以外の端縁と前記孔対向部の一端縁以外の端縁との間の間隔が、前記可動体に取付けられた前記配線を通過させることが可能な間隔に形成されたことを特徴とする請求項１に記載の遊技機。
【請求項３】
前記可動体が回転中心軸を介して前記取付板に回転可能に取付けられており、
前記貫通孔が前記可動体の回転中心を中心とする円弧状貫通孔に形成され、
前記孔対向部が前記円弧状貫通孔と対向する円弧状板に形成されたことを特徴とする請求項１又は請求項２に記載の遊技機。
【発明の詳細な説明】
【技術分野】
【０００１】
本発明は、可動体と可動体が移動可能に取付けられる可動体取付装置とを備えた遊技機、特に、可動体が移動した際の配線の断線防止に関する。
【背景技術】
【０００２】
従来、遊技機（パチンコ遊技機）として、ベース部と、該ベース部に移動可能に設けられた可動体と、を備えた構成のものが知られている（特許文献１参照）。
【０００３】
上述した従来の遊技機は、可動体が移動する際に、可動体の移動により配線にかかる曲げ応力による断線の発生を抑制できるように構成されている。
【先行技術文献】
【特許文献】
【０００４】
【特許文献１】特許第５５９６６６５号公報
【発明の概要】
【発明が解決しようとする課題】
【０００５】
しかしながら、特許文献１の可動体を備えた遊技機にあっては、可動体の移動により配線にかかる曲げ応力による断線の発生を抑制できるが、作業者が配線の取り回し作業を間違えてしまう可能性がある。
【０００６】
本発明は上記課題を解決すべく、配線が断線しない状態に配線の取り回し作業を間違えることなく作業者に確実に行なわせることが可能な可動体取付装置を備えた遊技機を提供するものである。
【課題を解決するための手段】
【０００７】
上記課題を解決するための本発明に係る遊技機は、可動体と、当該可動体が移動可能に取付けられる可動体取付装置とを備えた遊技機であって、前記可動体取付装置は、前記可動体が取付けられる取付板と、前記可動体の移動方向に延長するように前記取付板に形成された貫通孔と、カバーとを備え、前記カバーは、前記取付板の一方の板面より立ち上がるように設けられた立ち上がり部と、当該立ち上がり部から延長するように設けられて前記貫通孔と対向する孔対向部とを備え、前記貫通孔の延長方向の一端縁と前記孔対向部の一端縁との間の間隔が、前記可動体に取付けられた配線の端部に設けられたコネクタを通過させることが可能な間隔に形成され、前記貫通孔の延長方向の一端縁以外の端縁と前記孔対向部の一端縁以外の端縁との間の間隔が、前記コネクタを通過させることが不可能な間隔に形成されたことを特徴とする遊技機。
なお、上記発明の概要は、本発明の必要な特徴の全てを列挙したものではなく、特徴群を構成する個々の構成もまた発明となり得る。
【発明の効果】
【０００８】
上記各構成に係る遊技機によれば、配線が断線しない可動体取付装置を備えた遊技機を得ることができる。
【図面の簡単な説明】
【０００９】
【図１】パチンコ機の概略斜視図。
【図２】遊技盤の正面図。
【図３】役物装置の分解斜視図。
【図４】可動体が取付けられた可動体取付装置を前側から見た図。
【図５】可動体取付装置の前側部材を前側から見た斜視図。
【図６】可動体取付装置の前側部材を前側から見た斜視図。
【図７】可動体取付装置の前側部材を後側から見た斜視図。
【図８】可動体の動作に伴う配線状態を示す図。
【図９】パチンコ機の制御ブロック図。
【発明を実施するための形態】
【００１０】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。尚、実施形態において、上、下、前、後（裏）、左、右は、各図に示した方向を言うものとして説明する。
【００１１】
図１に示すように、遊技機の一例としてのパチンコ機１は遊技場の島設備に設置される縦長方形状の機枠２と、この機枠２の一側部においてヒンジ機構により開閉自在に取付けられた本体枠３と、当該本体枠３内に収容された遊技盤３０（図２参照）と、本体枠３の前方において開閉可能に軸着され、中央部に配設されたガラス窓４Ａ及びガラス窓４Ａの下方に設けられた受皿６を有するパネル枠４と、パネル枠４の下部一側部より前方に突設されたハンドルユニット７、及びパネル枠４の上部両側部に配設されたスピーカユニット８を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３０Ａ（図２参照）を視認することが可能である。
【００１２】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２７０（図９参照）と接続されており、プッシュボタン９Ａ、及びダイアル９Ｂから出力される信号は、演出制御回路２７０側に入力する。受皿６には、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１３】
［遊技盤の構成について］
本体枠３内に収容される遊技盤３０の中央部には、遊技者が演出表示装置１００の演出表示画面１０５及び役物装置５００を盤面構成体３１の前方から目視可能とするための表示孔３１Ｈが形成されている。盤面構成体３１は、表示孔３１Ｈの開口の面積と盤面３０Ｆの面積との比が例えば１，１程度となるように形成されている。
【００１４】
尚、盤面構成体３１の盤面３０Ｆ側における表示孔３１Ｈの周囲には、前側遊技部品の１つである遊技球誘導壁部３５が前方に向けて突設されている。遊技球誘導壁部３５は、盤面構成体３１の盤面３０Ｆ側における表示孔３１Ｈの上側開口縁、及び左右両側の開口縁を略円形状に取り囲むように延在する壁部である。上述のガラス窓４Ａが閉じられた場合において、遊技球誘導壁部３５の前端部とガラス窓４Ａとは、遊技球の直径未満で接近し、遊技球誘導壁部３５で囲まれた内側に遊技球が進入することは不可能とされる。
【００１５】
遊技盤３０には、遊技盤３０の盤面３０Ｆと、遊技球誘導壁部３５と、外ガイド部２７及び内ガイド部２８とによって区画された遊技領域３０Ａが形成される。遊技領域３０Ａは、遊技盤３０の盤面３０Ｆとガラス窓４Ａの後面との間に形成された遊技球の流下可能な空間である。また、遊技盤３０の盤面３０Ｆには、多数の釘２４や風車２５が稙設されており、遊技者のハンドルユニット７の操作に応じて駆動する図外の発射機構により発射され、遊技領域３０Ａ内に到達した遊技球は、多数の釘２４や風車２５によって不規則に誘導されつつ遊技領域３０Ａ内を流下する。
【００１６】
また、実施形態において遊技領域３０Ａは、図２に示すように、概ね左打ち領域ＥＬと右打ち領域ＥＲとに区分けされている。左打ち領域ＥＬは、遊技盤３０の左右間の中心線ＣＬよりも左側の領域であり、当該左打ち領域ＥＬに到達した遊技球は遊技領域３０Ａ内を流下する。
一方、右打ち領域ＥＲは、遊技領域３０Ａの中心線ＣＬよりも右側の領域であり、当該右打ち領域ＥＲに到達した遊技球は、遊技球の直径よりも僅かに広く、２個以上の遊技球が流下不能な右打ち通路３６を通って遊技領域３０Ａ内を１個ずつ流下する。
【００１７】
遊技盤３０の遊技領域３０Ａ内には、第１始動入賞部５０、第２始動入賞部５１，５２、大入賞装置６０、一般入賞部６６等が配設されており、これらの入賞部に遊技球が入球すると、各入賞部に対応した所定数の賞球が受皿６に払出される。
また、遊技球が第１始動入賞部５０、又は、第２始動入賞部５１、又は、第２始動入賞部５２に入球すると、上記賞球の払出しの他、大入賞装置６０を開放動作させ、遊技者にとって有利な状態を醸成する特別遊技の可否に関する抽選（特図当否抽選）や、当該特別遊技の態様を決定する抽選を始めとする各種の抽選が主制御回路２４０により実行される。即ち、第１始動入賞部５０、又は、第２始動入賞部５１、又は、第２始動入賞部５２への遊技球の入球は、上記各種の抽選を受ける契機となるものである。
第１始動入賞部５０、及び、一方の第２始動入賞部５１は、遊技領域３０Ａ内の下端部中央側に設けられた入賞装置３００に組み込まれている。
【００１８】
以下、各入賞部の構成について説明する。
第１始動入賞部５０、及び、一方の第２始動入賞部５１を備えた入賞装置３００は、遊技領域３０Ａの左右方向略中央において、上記表示孔３１Ｈの下側開口縁に沿って設けられたステージ４７の下方に配設される。第１始動入賞部５０は、後述するように、第１始動入賞口（左の入賞口３１３）と第１始動口検出スイッチＳＷ１（図９参照）とを備え、第２始動入賞部５１は、後述するように、第２始動入賞口（右の入賞口３１４）と第２始動口検出スイッチＳＷ２Ａ（図９参照）とを備え、第１始動入賞口より内部に取り込まれた遊技球は、第１始動口検出スイッチＳＷ１によって検出され、第２始動入賞口より内部に取り込まれた遊技球は、第２始動口検出スイッチＳＷ２Ａによって検出される。
【００１９】
図９に示すように、第１始動口検出スイッチＳＷ１、及び、第２始動口検出スイッチＳＷ２Ａは、主制御回路２４０と接続されており、主制御回路２４０は第１始動口検出スイッチＳＷ１や第２始動口検出スイッチＳＷ２Ａからの検出信号に基づいて前述した各種の抽選処理や、賞球を例えば３個払い出す賞球払出処理を実行する。なお、本例において第１始動入賞部５０，第２始動入賞部５１の位置は、上述の左打ち領域ＥＬを流下する遊技球のみが入球し得る位置に設定されている。
【００２０】
第２始動入賞部５２は、右打ち領域ＥＲ内において前述した第１始動入賞部５０，第２始動入賞部５１を備えた入賞装置３００、及び、大入賞装置６０よりも上方に配設される。第２始動入賞部５２は、遊技盤３０の盤面３０Ｆより前方に突出し、側部が開口した図外の入賞口と、第２始動口検出スイッチＳＷ２Ｂ（図９参照）と、入賞口の側部において開閉動作可能に設けられた開閉体５３とを備える。
図９に示すように、第２始動口検出スイッチＳＷ２Ｂは主制御回路２４０と接続されており、主制御回路２４０は第２始動口検出スイッチＳＷ２Ｂからの検出信号に基づいて前述した各種の抽選処理や、賞球を例えば３個払い出す賞球払出処理を実行する。
【００２１】
開閉体５３は、盤面構成体３１の後面側に配設されたソレノイドＳＯＬ１（図９参照）の駆動によって閉鎖状態と開放状態とを取り得る羽根状部材であり、開閉体５３が開放動作中である場合に限って遊技球は第２始動入賞部５２の入賞口に入球可能となる。
【００２２】
第２始動入賞部５２の上方には、通過ゲート５８が配設される。通過ゲート５８は、上下が開放した門型の遊技部品であって、その内部にはゲート検出スイッチＳＷ３（図９参照）が格納されている。通過ゲート５８を通過した遊技球は、ゲート検出スイッチＳＷ３によって検出される。主制御回路２４０は、ゲート検出スイッチＳＷ３からの検出信号の入力を契機として前述の開閉体５３の開放の可否に関する各種の抽選を実行する。
【００２３】
次に、大入賞装置６０について概説する。図２に示すように、大入賞装置６０は、右打ち領域ＥＲにおいて、第２始動入賞部５２の下方に配設される入賞装置である。大入賞装置６０は、図外の上方開放の入球口として形成された大入賞口と、当該大入賞口を閉鎖状態又は開放状態とする開閉体６５とを備える。開閉体６５は、ソレノイドＳＯＬ２（図９参照）の駆動によって遊技盤３０の左右方向に開閉動作して大入賞口を開閉する部材である。開閉体６５が大入賞口を閉鎖した状態において、遊技球は大入賞口内に入球することなく遊技領域３０Ａの下流に流下する。一方、後述の特別遊技が実行され、開閉体６５が大入賞口を開放した状態において、遊技球は大入賞口内に入球し、内部に配設された大入賞口検出スイッチＳＷ４（図９参照）によって検出された後、機外に排出される。大入賞口検出スイッチＳＷ４は、主制御回路２４０と接続されており、主制御回路２４０側では、当該大入賞口検出スイッチＳＷ４からの検出信号の入力に基づいて賞球を例えば１５個払い出す賞球払出処理を実行する。上記構成からなる大入賞装置６０の位置は、右打ち領域ＥＲに打ち出された遊技球のみが入球し得る位置とされており、遊技球が右打ち領域ＥＲを流下し、かつ、特別遊技中において開閉体６５が開放動作中である場合に限って大入賞口への入球が可能となる。
【００２４】
一般入賞部６６は、遊技盤３０の左下側部に配設された部材であって、上方開口の複数の一般入賞口６６ａと、一般入賞口検出スイッチＳＷ５（図９参照）とを備えており一般入賞口６６ａから入球した遊技球は、内部に収容された一般入賞口検出スイッチＳＷ５により検出される。当該一般入賞口検出スイッチＳＷ５は主制御回路２４０と接続されており、主制御回路２４０は一般入賞口検出スイッチＳＷ５からの検出信号に応じて賞球を例えば３個払い出す賞球払出処理を実行する。また、上述した各入賞装置のいずれにも入球しなかった遊技球は、後述する中央アウト口３１５、左アウト口３１６、右アウト口３１７のいずれかに入球し、当該アウト口と連通する図外の排出通路を介して機外に排出される。
【００２５】
演出表示装置１００は、例えば液晶表示画面等の演出表示画面１０５を備え、当該演出表示画面１０５に１〜８までの数字、及び特定のキャラクター等からなる演出図柄を変動表示可能な液晶表示装置である。
演出表示装置１００の演出表示画面１０５には、演出図柄の他、演出図柄の変動表示に伴って予告演出やリーチ演出とも呼ばれる画像や動画によって表現される多様な変動演出が表示され、遊技者は一般に、演出表示画面１０５上に表示される変動表示、及び変動演出を視認しながら遊技を楽しむこととなる。
【００２６】
［役物装置５００の構成について］
遊技盤３０の裏側に取付けられる役物装置５００は、図３に示すように、可動体６００と、可動体６００が回転可能に取付けられる可動体取付装置７００と、可動体６００を回転駆動させる可動体駆動装置８００とを備えている。
【００２７】
［可動体６００の構成について］
可動体６００は、ベース６０１と、ベース６０１の前面に設けられた配線基板（電飾基板）６０２と、配線基板６０２の前方に配置されてベース６０１に取付られるカバー６０３とを備える。
ベース６０１は、例えば一方方向に長く延長する長方形板状に形成され、延長方向の一端側（図３の上端側）には回転中心軸６１０が貫通する回転中心孔部６２０を備えるとともに、回転中心孔部６２０を中心とする円弧状に設けられた従動歯車８０３と、位置検出部８１１とを備える。
また、ベース６０１は、前面に基板収容凹部６２１を備え、基板収容凹部６２１には、放熱用の貫通孔６２２が複数形成されている。
また、ベース６０１は、配線基板６０２に接続された配線６５０（図８参照）をベース６０１の後側に引き出すための基板側配線引き出し孔６２３と、当該基板側配線引き出し孔６２３を介してベース６０１の後側に引き出された配線６５０をベース６０１の前側に引き出すための電源側配線引き出し孔６２４とを備える。
そして、一端が配線基板６０２に接続された配線６５０の他端にコネクタ６５１（図８参照）が接続され、当該配線６５０のコネクタ６５１が、基板側配線引き出し孔６２３、電源側配線引き出し孔６２４、後述する円弧状貫通孔７０５Ａを経由して、可動体取付装置７００の取付板７０３の前側に引き出されて、図外の電源基板に接続された図外の配線のコネクタに接続されることによって、図外の電源基板からの電源が配線基板６０２に供給され、配線基板６０２に実装された図外のＬＥＤ等の発光体が点灯するように構成される。
電源側配線引き出し孔６２４は、回転中心孔部６２０の近傍に設けられ、可動体６００が可動体取付装置７００に取付けられた場合に、円弧状貫通孔７０５Ａの後側に対向するように構成される。
即ち、可動体６００は、配線基板６０２が基板収容凹部６２１に収容され、カバー６０３が基板収容凹部６２１に収容された配線基板６０２の前方に位置されてベース６０１に取付けられることで、配線基板６０２に実装された図外のＬＥＤ等の発光体の光がカバー６０３を透過して前方に照射されるように構成されている。
尚、図外の止ねじが、ベース６０１に形成された取付孔６２６に挿入されてカバー６０３のねじ締結部６２７に締結されることによって、カバー６０３がベース６０１に取付けられる。
【００２８】
［可動体取付装置７００の構成について］
遊技盤３０の裏側に取付けられる可動体取付装置７００は、図３に示すように、前側部材７０１と、後側部材７０２とを備える。
前側部材７０１は、可動体６００が取付けられる取付板７０３と、取付板７０３の周縁より後方に突出する周壁７０４とを備える。
取付板７０３は、貫通孔７０５と、カバー７０６と、配線止部７０８と、モータ取付部７０９とを備える。
【００２９】
［貫通孔７０５の構成について］
貫通孔７０５は、可動体６００の移動方向である回転方向に延長するように取付板７０３に形成されている。
図４に示すように、貫通孔７０５は、可動体６００の回転中心６００Ｃを中心とする円弧状貫通孔７０５Ａに形成されている。
円弧状貫通孔７０５Ａは、可動体６００の回転中心６００Ｃを中心とする円周の１／４に相当する円弧に沿った円弧孔部７１０と、円弧孔部７１０の周に沿った延長方向の一端部より直線状に延長する一端側延長孔部７１１と、円弧孔部７１０の周に沿った延長方向の他端部より直線状に延長する他端側延長孔部７１２とを備える。
円弧孔部７１０は、可動体６００の回転中心６００Ｃを中心とする内側円弧縁７１３と内側円弧縁７１３よりも大径で内側円弧縁７１３と同心円弧である外側円弧縁７１４との間に形成された円弧孔部である。
一端側延長孔部７１１は、内側円弧縁７１３の一端より延長する内側直線縁７１５と、外側円弧縁７１４の一端より延長する外側直線縁７１６と、内側直線縁７１５の終端と外側直線縁７１６の終端とを繋ぐ終端直線縁７１７とで囲まれた矩形孔部である。
他端側延長孔部７１２は、内側円弧縁７１３の他端より延長する内側直線縁７２５と、外側円弧縁７１４の他端より延長する外側直線縁７２６と、内側直線縁７２５の終端と外側直線縁７２６の終端とを繋ぐ終端直線縁７２７とで囲まれた矩形孔部である。
一端側延長孔部７１１の内側直線縁７１５及び外側直線縁７１６の長さは、他端側延長孔部７１２の内側直線縁７２５及び外側直線縁７２６の長さよりも長い。
尚、円弧状貫通孔７０５Ａは、孔縁より後方に延長する孔壁を備え、当該孔壁の前後方向の長さは、前側部材７０１の周壁７０４の前後方向の長さと同程度の長さに形成されており、当該孔壁で囲まれた円弧状貫通孔７０５Ａの内側で配線６５０が自由に移動できるように構成されている。
【００３０】
［カバー７０６の構成について］
カバー７０６は、立ち上がり部７０７Ａと孔対向部７０７Ｂとを備える。即ち、カバー７０６は、取付板７０３の一方の板面である前面における外側円弧縁７１４に沿った位置から前方に立ち上がるように設けられて板面が円弧状に湾曲した板により形成された立ち上がり部７０７Ａと、立ち上がり部７０７Ａの前端（立ち上がり端）から可動体６００の回転中心６００Ｃに向かって延長するように設けられて円弧状貫通孔７０５Ａと対向する外形が円弧状の平面板により形成された孔対向部７０７Ｂとを備える。
【００３１】
［孔対向部７０７Ｂの構成について］
孔対向部７０７Ｂは、立ち上がり部７０７Ａの前端となる外側円弧縁７３１と、円弧孔部７１０の内側円弧縁７１３の前方に位置する内側円弧縁７３２と、外側円弧縁７３１の一端と内側円弧縁７３２の一端とを連結する一端縁７３３と、外側円弧縁７３１の他端と内側円弧縁７３２の他端とを連結する他端縁７３４とで囲まれた外形が円弧状の平面板に形成される。即ち、孔対向部７０７Ｂは、円弧状貫通孔７０５Ａの円弧孔部７１０と対向する円弧状の平面板により形成されている。
【００３２】
［円弧状貫通孔７０５Ａとカバー７０６との関係について］
そして、円弧状貫通孔７０５Ａの延長方向の一端縁である終端直線縁７１７とカバー７０６の孔対向部７０７Ｂの一端縁７３３との間の間隔（寸法）Ｗ１が、可動体６００に取付けられた配線６５０の他端に設けられたコネクタ６５１を通過させることが可能で、かつ、配線６５０を通過させることが可能な間隔に形成されている。
また、円弧状貫通孔７０５Ａの延長方向の一端縁である終端直線縁７１７以外の端縁とカバー７０６の孔対向部７０７Ｂの一端縁７３３以外の端縁との間の間隔が、前記コネクタ６５１を通過させることが不可能な間隔に形成されている。
即ち、円弧状貫通孔７０５Ａにおける他端側延長孔部７１２の終端直線縁７２７とカバー７０６の孔対向部７０７Ｂの他端縁７３４との間の間隔Ｗ２が、前記コネクタ６５１を通過させることが不可能で、かつ、配線６５０を通過させることが可能な間隔に形成されている。
また、孔対向部７０７Ｂの内側円弧縁７３２と円弧状貫通孔７０５Ａの内側円弧縁７１３との間の間隔Ｗ３が、前記コネクタ６５１を通過させることが不可能で、かつ、配線６５０を通過させることが可能な間隔に形成されている。
【００３３】
［可動体６００の組み付けについて］
図３に示すように、対向するように配置される後側部材７０２の前面７５１と前側部材７０１の後（裏）面７５２とには、可動体６００の回転中心軸６１０の両端を支持する軸受部が設けられている。
即ち、前側部材７０１の後面７５２には、可動体６００の回転中心軸６１０の前端部（一端部）６１１を支持する前側軸受部７５５が設けられ、後側部材７０２の前面７５１には、可動体６００の回転中心軸６１０の後端部（他端部）６１２を支持する後側軸受部７５６が設けられている。
そして、可動体６００のベース６０１の一端側に設けられた回転中心孔部６２０に貫通させた可動体６００の回転中心軸６１０の前端部６１１が前側軸受部７５５に支持され、回転中心孔部６２０に貫通させた可動体６００の回転中心軸６１０の後端部６１２が後側軸受部７５６に支持された状態で、後側部材７０２と前側部材７０１とが連結されることにより、図４に示すように、可動体６００が回転中心軸６１０を回転中心６００Ｃとして回転可能なように可動体取付装置７００に取付けられる。
尚、図外の止ねじが、前側部材７０１に形成された取付孔７６０に挿入されて後側部材７０２のねじ締結部７６１に締結されることによって、後側部材７０２と前側部材７０１とが連結される。
【００３４】
［可動体駆動装置８００の構成について］
可動体駆動装置８００は、前側部材７０１に取付けられた駆動源としてのモータ８０１と、モータ軸に連結された原動歯車８０２と、当該原動歯車８０２と噛み合う従動歯車８０３とを備えて構成される。
従動歯車８０３は、可動体６００のベース６０１の一端側に設けられた回転中心孔部６２０を中心とする円弧状に形成されている。
従って、モータ８０１を駆動させて原動歯車８０２を回転させることにより、原動歯車８０２の回転力が従動歯車８０３を介して可動体６００に伝達されて、可動体６００が回転中心６００Ｃを中心として回転する。
尚、後側部材７０２の前面７５１には、可動体６００の初期位置を検出する検出器８１０が設けられており、ベース６０１の一端側に設けられた位置検出部８１１が検出器８１０により検出されることで、モータ８０１への電源供給が停止されて可動体６００が初期位置に位置決めされる。
【００３５】
［配線取り回し作業について］
図３に示すように、配線６５０の一端が可動体６００の配線基板６０２に接続され、配線６５０の他端にはコネクタ６５１が接続されている。
そして、配線６５０の一端が接続された可動体６００を前側部材７０１の取付板７０３の後側に位置させ、円弧状貫通孔７０５Ａの後側から、配線６５０の他端に設けられたコネクタ６５１を、円弧状貫通孔７０５Ａの延長方向の一端縁である終端直線縁７１７と孔対向部７０７Ｂの一端縁７３３との間、即ち、一端側延長孔部７１１に通して取付板７０３の前側に引き出す。
例えば、前側部材７０１の前側軸受部７５５に固定された回転中心軸６１０を可動体６００の回転中心孔部６２０に通して、図８（ｂ）のように、一端側延長孔部７１１の後側に可動体６００の電源側配線引き出し孔６２４が位置される状態に設定し、一端側延長孔部７１１を介して取付板７０３の前側に引き出したコネクタ６５１の近傍である配線６５０の他端部を、インシュロック（結束バンド）６５２を用いて配線止部７０８に止める。その後、前側部材７０１の後側に後側部材７０２を組み付ける。
そして、図８（ａ）のように、可動体６００を初期位置まで回転させると、配線６５０が孔対向部７０７Ｂの後側で一端側延長孔部７１１側から他端側延長孔部７１２側まで延長する状態となる。
さらに、一端側延長孔部７１１側から配線止部７０８までの間に存在する配線６５０を孔対向部７０７Ｂの内側円弧縁７３２と円弧状貫通孔７０５Ａの内側円弧縁７１３との間の間隔Ｗ３を介して孔対向部７０７Ｂの後側（裏側）に押し込む。
この場合、可動体６００の電源側配線引き出し孔６２４からインシュロック６５２を用いて配線止部７０８に止められるまでの配線６５０の長さは、図８（ａ）のように、円弧状貫通孔７０５Ａにおける一端側延長孔部７１１と他端側延長孔部７１２との間を、円弧状貫通孔７０５Ａの円弧に沿って往復する程度の長さ、即ち、電源側配線引き出し孔６２４から配線止部７０８までの距離よりも十分に長い長さに決められている。つまり、可動体６００の電源側配線引き出し孔６２４からインシュロック６５２を用いて配線止部７０８に止められるまでの配線６５０の長さは、可動体６００の回転動作によって配線６５０にストレスが加わって配線６５０が断線してしまうことが無いような長さに予め決められている。
【００３６】
尚、図８（ａ）のように、可動体６００が初期位置において円弧状貫通孔７０５Ａの他端側延長孔部７１２側に位置される場合において、初期位置に位置された可動体６００に接続された配線６５０の他端側を、他端側延長孔部７１２側から一端側延長孔部７１１側まで移動させて、一端側延長孔部７１１を介して取付板７０３の前側に引き出した後、配線６５０の他端に接続されたコネクタ６５１を配線止部７０８側まで移動して、配線６５０におけるコネクタ６５１近傍の他端部をインシュロック６５２で配線止部７０８に止め、そして、取付板７０３の前側に引き出された配線６５０の他端側を、孔対向部７０７Ｂの内側円弧縁７３２と円弧状貫通孔７０５Ａの内側円弧縁７１３との間の間隔Ｗ３を介して孔対向部７０７Ｂの後側（裏側）に押し込むようにしてもよい。
【００３７】
以上の構成によれば、図８（ａ）のように、可動体６００が初期位置に位置される状態においては、配線６５０は、円弧状貫通孔７０５Ａの他端側延長孔部７１２の後側に位置される電源側配線引き出し孔６２４から円弧状貫通孔７０５Ａの一端側延長孔部７１１まで、孔対向部７０７Ｂの後側で当該孔対向部７０７Ｂの円弧に沿って延在し、そして、コネクタ６５１側が一端側延長孔部７１１を介して取付板７０３の前側に引き出された後、配線止部７０８まで延長しているため、配線６５０が配線止部７０８側に引張られなくなり、配線６５０が断線しない。
また、図８（ａ）から図８（ｂ）に示すように、可動体６００が初期位置から可動範囲最大位置まで回転した場合、孔対向部７０７Ｂの後側で電源側配線引き出し孔６２４から円弧状貫通孔７０５Ａの一端側延長孔部７１１まで延在していた配線６５０が、円弧状貫通孔７０５Ａの孔内で自由に移動し、配線止部７０８側に引張られないので、配線６５０が断線しない。
【００３８】
実施形態の可動体取付装置７００によれば、取付板７０３の後側に配置される可動体６００に接続された配線６５０の他端側のコネクタ６５１を取付板７０３の前側に引き出す場合には、コネクタ６５１が円弧状貫通孔７０５Ａの一端側延長孔部７１１しか通過しないため、コネクタ６５１を円弧状貫通孔７０５Ａの一端側延長孔部７１１以外の孔部から取付板７０３の前側に引き出すことができず、作業者は、配線６５０の取り回し作業を間違うことが無くなる。
そして、コネクタ６５１が円弧状貫通孔７０５Ａの一端側延長孔部７１１を通過して取付板７０３の前側に引き出された後、コネクタ６５１が取付けられた配線６５０の他端近傍をインシュロック６５２で配線止部７０８に止めた状態では、可動体６００が初期位置と可動範囲最大位置との間を回転した場合、孔対向部７０７Ｂの後側で電源側配線引き出し孔６２４から円弧状貫通孔７０５Ａの一端側延長孔部７１１まで延在していた配線６５０が、円弧状貫通孔７０５Ａの孔内で移動し、配線止部７０８側に引張られないので、断線しない。
【００３９】
即ち、仮に、他端側延長孔部７１２及び孔対向部７０７Ｂの内側円弧縁７３２と円弧状貫通孔７０５Ａの内側円弧縁７１３との間からコネクタ６５１を取付板７０３の後側から取付板７０３の前側に引き出すことができるように構成されている場合、コネクタ６５１を取付板７０３の前側に引き出した後、配線６５０の他端に接続されたコネクタ６５１側を配線止部７０８側まで移動して、配線６５１の他端部をインシュロック６５２で配線止部７０８に止めると、可動体６００が図８（ａ）；（ｂ）に示すように回転移動した場合、配線止部７０８と可動体６００との間で配線６５０が引っ張られて配線６５０が断線してしまう可能性が高くなる。
これに対して、実施形態の可動体取付装置７００によれば、可動体６００が図８（ａ）；（ｂ）に示すように回転移動した場合、円弧状貫通孔７０５Ａ内で配線６５０が自由に移動できるように余裕の長さを維持して断線が防止される状態に必ず配線されるようになる。つまり、配線６５０が断線しない状態に配線の取り回し作業を間違えることなく確実に行える可動体取付装置７００を提供できる。
即ち、実施形態によれば、可動体６００に設けられた配線基板６０２と電源側からの配線とを接続するための配線６５０の断線を防止でき、しかも配線６５０が断線しない状態に配線６５０の取り回し作業を間違えることなく作業者に確実に行なわせることが可能な可動体取付装置７００を提供できるようになる。
つまり、実施形態に係る構成によれば、配線が断線しない状態に配線の取り回し作業を間違えることなく作業者に確実に行なわせることが可能な可動体取付装置７００を備えた遊技機を得ることができる。
【００４０】
尚、配線の端部に接続されるコネクタとしては、サイズや形状など様々である。従って、使用するコネクタのサイズや形状等に応じて、当該使用するコネクタが通過可能な上述した間隔Ｗ１、当該使用するコネクタが通過不可能な上述した間隔Ｗ２を設定すればよい。
また、実施形態では、可動体６００が回転中心軸６１０を介して取付板７０３に回転可能に取付けられており、貫通孔７０５が可動体６００の回転中心を中心とする円弧状貫通孔７０５Ａに形成された構成の可動体取付装置７００を例示したが、直線移動する可動体を取付ける可動体取付装置、即ち、可動体が移動可能に取付けられる可動体取付装置であっても同様に構成できる。
【００４１】
［パチンコ機の内部構成について］
図９は、パチンコ機１の制御を担う制御手段の構成を示すブロック図である。同図に示すように、パチンコ機１は、主として遊技全般に係る基本動作を制御する主制御回路２４０と、主として賞球の払出動作を制御する払出制御回路２５０と、主として遊技球の発射を制御する発射制御回路２６０と、演出表示装置１００、役物装置５００、スピーカユニット８、ＬＥＤ等の発光体５７を制御する演出制御回路２７０とを備える。
【００４２】
主制御回路２４０は、（メイン）ＣＰＵ２４０ａ、（メイン）ＲＯＭ２４０ｂ、及び（メイン）ＲＡＭ２４０ｃを備えてなり、ＣＰＵ２４０ａが、各検出スイッチやタイマからの入力に対応してＲＯＭ２４０ｂに予め格納されたプログラムを読み出して、当該プログラムに従った演算処理を行い、主制御回路２４０に接続された上述の各ソレノイドＳＯＬ１〜ＳＯＬ２や、遊技盤３０の遊技領域３０Ａの外方に配設された第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８といった各表示装置を直接的に制御したり、他の制御回路に多様なコマンドを送信する。また、このときＲＡＭ２４０ｃは、ＣＰＵ２４０ａの演算処理時におけるワークエリアとして機能し、演算に必要な各種のデータや、コマンドを一時的に保持する。
【００４３】
主制御回路２４０には、払出制御回路２５０、及び演出制御回路２７０が接続されている。払出制御回路２５０は、主制御回路２４０と同様に不図示のＣＰＵ、ＲＯＭ、ＲＡＭを備えたマイクロコンピュータであって、主制御回路２４０と一方向通信可能に接続されている。当該払出制御回路２５０には、外部情報出力端子板２５１が接続されている。外部情報出力端子板２５１は、主制御回路２４０（ＣＰＵ２４０ａ）及び払出制御回路２５０（払出ＣＰＵ）から出力された遊技の進行に関する種々の情報をパチンコ機１の設置店等に設けられたホストコンピュータ側に送信する。
【００４４】
また、払出制御回路２５０には、遊技者に対して賞球を払い出すための払出モータ２５２、及び賞球数計数スイッチ２５３が接続されている。払出制御回路２５０は、主制御回路２４０から送信される払出コマンドに含まれる賞球数情報に基づいて所定の賞球数が払い出されるように払出モータ２５２を制御する。当該払出モータ２５２の駆動により払い出された賞球は、賞球数計数スイッチ２５３により検出され、払出制御回路２５０側において、適正な賞球数が払い出されたかが把握される。なお、払出制御回路２５０には、この他、受皿６に許容数以上の遊技球が貯留されていることを検知する皿満タン検出スイッチや、本体枠３の扉が開放していることを検知する扉開放検出スイッチ等の各種のスイッチが接続される。
【００４５】
発射制御回路２６０には、ハンドルユニット７内に搭載されたタッチセンサ２６１、発射ボリューム２６２、図外の発射機構内に受皿６に貯留された遊技球を送り込む球送りモータ２６３、及び発射機構内に格納された球発射モータ２６４が接続されており、発射制御回路２６０は、払出制御回路２５０からの発射許可およびタッチセンサ２６１からの入力を条件として、遊技者によるハンドルユニット７の操作量に応じて変化する発射ボリューム２６２からの入力信号に基づいて球発射モータ２６４を制御し、受皿６に貯留された遊技球を所定の発射力により遊技領域３０Ａ内に打ち出す。
【００４６】
演出制御回路２７０は、遊技進行中や待機中における各種の演出を制御する。
演出制御回路２７０は、（サブ）ＣＰＵ２７０ａ、（サブ）ＲＯＭ２７０ｂ、（サブ）ＲＡＭ２７０ｃを備えてなり、主制御回路２４０に対して、主制御回路２４０から演出制御回路２７０に対してのみ通信（一方向通信）が可能なように接続されている。当該演出制御回路２７０は、主制御回路２４０から送信される演出に関する各種のコマンドや内部タイマからの入力信号に基づいて、ＲＯＭ２７０ｂに予め格納されたプログラムを読み出して、当該プログラムに従った演算処理を行い、演出制御回路２７０に接続された可動演出表示装置１００の制御、及び、上述した役物装置５００の可動体演出制御、遊技進行中における楽曲や効果音などの音声をスピーカユニット８から出力させる音声出力制御や、光飾装置７０、遊技盤３０及びパネル枠４等の各所に配設されたＬＥＤ等の発光体５７を多様なパターンにより発行させる発光制御を実行する。このときＲＡＭ２７０ｃは、ＣＰＵ２７０ａの演算処理時におけるワークエリアとして機能し、演算に必要な各種のデータや、コマンド等を一時的に保持する。
【００４７】
また、演出制御回路２７０は、ＣＰＵ２７０ａと接続され、当該ＣＰＵ２７０ａより送信される画像表示に係る各種のコマンドを受信して演出表示画面１０５に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２７０には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００４８】
以下、上記構成からなるパチンコ機１の遊技の流れについて概説する。
遊技者のハンドルユニット７の操作により遊技領域３０Ａ内を流下する遊技球が前述の第１始動入賞部５０又は第２始動入賞部５１又は第２始動入賞部５２に入球すると、主制御回路２４０では特別遊技（所謂大当り遊技）の実行可否に関する抽選、特別図柄の種類を決定する抽選、特別図柄の変動パターンを決定する抽選等の種々の抽選を実行する。
そして、上記抽選のうち、特図当否抽選の結果が「当り」である場合には、前述の大入賞装置６０を開放動作させ、遊技球の入球を容易とする特別遊技が実行される。
【００４９】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００５０】
１  パチンコ機（遊技機）、３０  遊技盤、６００  可動体、６１０  回転中心軸、
６５０  配線、６５１  コネクタ、７００  可動体取付装置、７０３  取付板、
７０５  貫通孔、７０５Ａ  円弧状貫通孔、７０６  カバー、７０７Ａ  立ち上がり部、
７０７Ｂ  孔対向部、Ｗ１，Ｗ２，Ｗ３  間隔。
【図１】
2018166972.tif 000003
【図２】
2018166972.tif 000004
【図３】
2018166972.tif 000005
【図４】
2018166972.tif 000006
【図５】
2018166972.tif 000007
【図６】
2018166972.tif 000008
【図７】
2018166972.tif 000009
【図８】
2018166972.tif 000010
【図９】
2018166972.tif 000011